(57)【要約】      （修正有）【課題】市販のディスプレイスタンド、ディスプレイアーム、壁掛け金具等の外部の保持装置を使って簡単に設置できるタブレット端末とそのクレードルの組体を提供する。【解決手段】クレードルの組体を、タブレット端末１０の背面上方中央部に取り付けるクレードル第１部分２０と、市販のディスプレイスタンド、ディスプレイアーム、壁掛け金具等の外部の保持装置に取り付けることができるクレードル第２部分４０に、分割し、クレードル第１部分２０は、それがタブレット端末１０背面上方中央部に取り付けられ、クレードル第２部分４０は、その背面側には外部の保持装置への取り付けを可能とする複数のネジ穴、例えば、VESA規格、を設ける。【選択図】図６
2015125468.tif 000002
【特許請求の範囲】
【請求項１】
タブレット端末；
前記タブレット端末の背面上方中央部に取り付けられると、背面下方に向かう斜面を有する凸部が形成されるブロック状のクレードル第１部分；および
前記クレードル第１部分によって形成される斜面を有する凸部を受け入れる対応する斜面を有する凹部が形成されている箱状のクレードル第２部分；から構成され、
前記クレードル第１部分の斜面中央部には、前記タブレット端末背面と平行な平面を有し、そこに第１の組の充電接点が設けられる凹部が形成されており、
前記クレードル第２部分の斜面中央部には、前記クレードル第１部分に形成された凹部に嵌り合い、かつタブレット端末背面およびクレードル第２部分の背面と平行な平面を有しそこに前記第１の組の充電接点と接触する第２の組の充電接点が設けられる凸部が形成されており、
さらに、前記クレードル第２部分には、その凹部下方端には横長のフックが、前記クレードル第１部分の凸部下方端には前記横長フックを受け入れてそれと係合する横長の受け溝が形成されており、
さらにまた、前記クレードル第２部分に形成された斜面を有する凹部先端の壁部中央およびそれに対応する前記クレードル第１部分の凸部先端中央部には、協働するロック手段のそれぞれの部分が形成、装着されており、
さらにまた、クレードル第２部分の背面には、このクレードル第２部分を外部の保持装置に保持するために利用される複数個のネジ穴が形成されている、
タブレット端末とそのクレードルの組体。
【請求項２】
前記ロック手段は、前記クレードル第２部分に形成された斜面を有する凹部先端の壁部中央に装着されたロック機構のばねで付勢され摺動可能なアンロックレバーと一体のラッチと、それと協働する前記クレードル第１部分の凸部先端中央部に形成されたロック機構のラッチ受け溝から構成されている、請求項１に記載のタブレット端末とそのクレードルの組体。
【請求項３】
前記ブロック状のクレードル第１部分の両側部には、二つの指による把持を容易にする滑らかな凹部がそれぞれ形成されている、請求項１に記載のタブレット端末とそのクレードルの組体。
【請求項４】
前記クレードル第２部分の斜面中央部に形成された凸部平面上の第２の組の充電接点のそれぞれは、両接点間の短絡を防止するため、上下に可動のプラスチック製の包囲体によって包囲され、これらの包囲体は、この組の充電接点間の平面に形成された縦長の切り欠きから突出するレバーと連動するように構成されており、前記クレードル第１部分の中央に形成された凹部と前記クレードル第２部分の中央に形成された凸部が嵌り合うと、前記レバーが押し下げられ、それに連動して前記包囲体が引き下がるように構成されている、請求項１に記載のタブレット端末とそのクレードルの組体。
【請求項５】
前記ブロック状のクレードル第１部分の上方端縁部には、第３の組の充電接点が形成されている、請求項１に記載のタブレット端末とそのクレードルの組体。
【請求項６】
前記第１および第３の組の充電接点は、前記タブレット端末の縁部に形成された外部ACアダプターからの入力端子を受け入れる充電端子に接続されている、請求項５に記載のタブレット端末とそのクレードルの組体。
【請求項７】
前記クレードル第２部分の下方端縁部には、このクレードル第２部分を下方から保持するために利用される少なくとも１つのネジ穴が形成されている、請求項１に記載のタブレット端末とそのクレードルの組体。
【請求項８】
前記クレードル第２部分の背面に形成される複数個のネジ穴は、VESA規格、VESA７５（７５Ｘ７５ｍｍ）に適合する４つのネジ穴である、請求項１に記載のタブレット端末とそのクレードルの組体。
【請求項９】
前記タブレット端末は、業務用タブレット端末である、請求項１に記載のタブレット端末とそのクレードルの組体。
【発明の詳細な説明】
【技術分野】
【０００１】
本発明は、タブレット端末とその少なくとも充電端子のあるクレードルとの組体に係り、特に、例えば、飲食店等で使われるオーダー端末、企業等の窓口で使われる受付端末、従業員の出退勤入力・閲覧端末、入会端末、およびブラウザ端末等の業務用タブレット端末とその少なくとも充電端子のあるクレードルとの組体に関する。
【背景技術】
【０００２】
従来の、タブレット端末用の充電端子付きクレードルは、卓上型に限られていたので、タブレット端末を充電しながら、卓上型のクレードルと共にタブレット端末を、希望する場所に自由に移動、設置して使用することは困難であった。そのため、タブレット端末の業務用への適用、応用が制限されていた。
【発明の開示】
【発明が解決しようとする課題】
【０００３】
本発明が解決しようとする課題は、業務の内容および必要に応じて、希望する最適の場所に、あるいは、従来は取り付けが困難であった場所に、専用ではない、市販のディスプレイスタンド、ディスプレイアーム、壁掛け金具等の外部の保持装置を使って簡単に設置できるタブレット端末とそのクレードルの組体を提供することである。
【０００４】
本発明が解決しようとするさらなる課題は、普段は所定の場所でタブレット端末をクレードルを介して充電しながら、所定の表示、例えば、デジタルサイネージ（電子看板）を行い、必要に応じて、タブレット端末とクレードルの一部との組を、市販のディスプレイスタンド、ディスプレイアーム、壁掛け金具等の外部の保持装置に固定、保持されたクレードルの他部から、容易、簡単に取り外して、手元のテーブル上でタブレット端末への入力ができる、タブレット端末とそのクレードルの組体を提供することである。
【０００５】
本発明が解決しようとするさらなる課題は、業務用タブレット端末の付加価値を高め、ユーザーの利便性を向上し、その利用分野を広げるタブレット端末とそのクレードルの組体を提供することである。
【課題を解決するための手段】
【０００６】
本発明では、タブレット端末のクレードルを２分割して、一方はタブレット端末の背面上方中央部に取り付けられるクレードル第１部分とし、他方は市販のディスプレイスタンド、ディスプレイアーム、壁掛け金具等の外部の保持装置へ取り付け可能にしたクレードル第２部分として構成して、上記課題を解決するための、タブレット端末とそのクレードルの組体を実現した。
【０００７】
即ち、クレードル第１部分は、それがタブレット端末背面に取り付けられると、タブレット端末上方端から下方端にかけて傾斜する斜面を有する凸部を形成するブロック状体から構成し、クレードル第２部分は、その表面側に先のクレードル第１部分の斜面の付いた凸部を受け入れる対応する斜面の付いた凹部を形成し、かつその背面側には外部の保持装置への取り付けを可能とする複数のネジ穴、例えば、VESA規格、VESA７５（７５Ｘ７５ｍｍ）に適合する４個のネジ穴を設けた、箱状体から構成した。
【０００８】
さらに、クレードル第１部分の斜面中央部には、タブレット端末背面と平行な平面を有し、そこに第１の組の充電接点が設けられる凹部を形成し、クレードル第２部分の斜面中央部には、このクレードル第１部分に形成した凹部に嵌り合い、かつタブレット端末背面およびクレードル第２部分の背面と平行な平面を有し、そこに、第１の組の充電接点と接触する第２の組の充電接点が設けられる凸部を形成した。
【０００９】
さらに、クレードル第２部分には、その凹部下方端に横長のフックを、クレードル第１部分の凸部下方端には、その横長のフックを受け入れてそれと係合する横長の受け溝を形成し、さらにまた、クレードル第２部分に形成された斜面を有する凹部先端の壁部中央には、ロック機構のばねで付勢され摺動可能なアンロックレバーと一体のラッチを装着し、対向するクレードル第１部分の凸部先端中央部には、それと協働するロック機構のラッチ受け溝を形成し、クレードル第１部分とクレードル第２部分を嵌め合わせると、両者は、ロック機構とフックによりしっかりと結合し、また、タブレット端末とクレードル第１部分の組を、外部の保持装置に保持されているクレードル第２部分から取り外す際には、アンロックレバーをワンタッチするだけで簡単に取り外せるように、構成した。
【００１０】
さらに、ブロック状のクレードル第１部分の両側部には、二つの指による把持を容易にとする滑らかな凹部をそれぞれ形成し、タブレット端末とクレードル第１部分の組の持ち運びを便利にした。
【００１１】
さらに、クレードル第２部分の斜面中央部に形成された凸部平面上の第２の組の充電接点のそれぞれは、偶発的に起こることのある導体片等による、両接点間の短絡を防止するため、上下に可動のプラスチック製の包囲体によって包囲され、これらの包囲体は、この組の充電接点間の平面に形成された縦長の切り欠きから突出するレバーと連動するように構成し、クレードル第１部分の中央に形成された凹部とクレードル第２部分の中央に形成された凸部が嵌り合うと、先のレバーが押し下げられ、それに連動して包囲体が引き下がり、２組の充電接点が接触するように構成した。
【００１２】
さらに、ブロック状のクレードル第１部分の上方端縁部には、第３の組の充電接点を形成し、外部の充電装置によるタブレット端末の充電を可能とした。
【００１３】
さらに、箱状のクレードル第２部分の下方端縁部に、このクレードル第２部分を下方から保持するために利用される少なくとも１つのネジ穴を形成し、タブレット端末とそのクレードルの組体の、態様の違う保持方法を可能とした。
【発明の効果】
【００１４】
本発明では、タブレット端末とそのクレードルの組体のクレードルを、タブレット端末の背面上方中央部に取り付けるクレードル第１部分と、市販のディスプレイスタンド、ディスプレイアーム、壁掛け金具等の外部の保持装置に取り付けられるクレードル第２部分に、分割したので、ユーザーは、希望する場所に自由に、かつ容易、簡単に、タブレット端末とそのクレードルの組体を設置できるようになった。
【００１５】
タブレット端末への、入力操作は、その設置場所で、タブレット端末を充電しなが行うことも、また、タブレット端末とクレードル第１部分の組を、クレードル第２部分から簡単に取り外して、手元のテーブル上で行うこともできる。従って、入力操作をしない時には、そのタブレット端末とクレードル第１部分の組は、その設置場所で、クレードル第２部分に取り付けて、例えば、デジタルサイネージ（電子看板）としても使える。
【００１６】
タブレット端末とクレードル第１部分の組を、クレードル第２部分から簡単に取り外して、手元のテーブル上に置いて入力操作を行う際には、クレードル第１部分によって形成される凸部上の斜面によって、タブレット端末の表示面がその上方（遠方）から下方（手前）に向かって所定の角度、傾斜が付くので、表示面が見やすくなり、入力操作が便利になる。
【００１７】
また、クレードルの第１部分によって形成される凸部上の斜面の延長面は、タブレット端末の下方（手前）端縁部と交差するように構成されているので、タブレット端末とクレードル第１部分の組を、手元のテーブル上に置いて、タブレット端末への入力操作を行う際、タブレット端末とクレードル第１部分の組が揺動することもない。
【００１８】
また、クレードル第１部分の第１の組の充電接点は、その斜面中央部に形成された凹部の平面上に配設されているので、入力操作等のため、タブレット端末とクレードル第１部分の組が、クレードル第２部分から取り外されて、テーブル上に置かれても、テーブル面と接することがないので損傷の恐れがない。
【００１９】
また、タブレット端末に取り付けられているクレードル第１部分を、外部の保持装置に保持されているクレードル第２部分に嵌め合わせて結合する際には、クレードル第１部分の斜面を有する凸部と、クレードル第２部分の斜面を有する凹部、および、クレードル第１部分の斜面中央部に形成され、そこに第１の組の充電接点が設けられている凹部と、クレードル第２部分の斜面中央部に形成され、そこに第１の組の充電接点と接触する第２の組の充電接点が設けられている凸部が、協働して位置決め要素として働き、第１および第２の充電接点を正確に接触させ、ロック機構およびフックによる両者の結合後は、両者間のガタつきを阻止する。
【図面の簡単な説明】
【００２０】
【図１】図１Ａは、本発明の一実施の態様に係る、タブレット端末とそのクレードルの組体の中の、タブレット端末の背面上方中央部に取り付けられる、クレードル第１部分を背後から見た平面図である。図１Ｂは、図１Ａを上方から見た平面図である。図１Ｃは、図１Ａを下方から見た平面図である。図１Ｄは、図１Ａを右側から見た平面図である。図１Ｅは、図１Ａを左側から見た平面図である。
【図２】図２Ａは、図１Ａのクレードル第１部分を背後から見た透視図である。図２Ｂは、図２Ａを上方から見た平面図である（図１Ｂと同じ）。図２Ｃは、図２Ａを下方から見た平面図である（図１Ｃと同じ）。図２Ｄは、図２Ａを右側から見た平面図である（図１Ｄと同じ）。図２Ｅは、図２ＡのＡ−Ａ線に沿って取った断面図である。
【図３】図１Ａ−図２Ｅに示したクレードル第１部分をタブレット端末背面上方中央部に取り付け、この組をテーブル上に平置きにした時の側面図である。
【図４】図４Ａは、本発明の一実施の態様に係る、タブレット端末とそのクレードルの組体の中の、市販のディスプレイスタンド、ディスプレイアーム、壁掛け金具等の外部の保持装置へ取り付けられる、クレードル第２部分を正面から見た平面図である。図４Ｂは、図４Ａを上方から見た平面図である。図４Ｃは、図４Ａを下方から見た平面図である。図４Ｄは、図４Ａを右側から見た平面図である。図４Ｅは、図４Ａを左側から見た平面図である。図４Ｆは、図４Ａを背面から見た平面図である。
【図５】図５Ａは、図４Ａのクレードル第２部分を正面から見た透視図である。図５Ｂは、図５Ａを上方から見た平面図である（図４Ｂと同じ）。図５Ｃは、図５Ａを下方から見た平面図である（図４Ｃと同じ）。図５Ｄは、図５Ａを右側から見た平面図である（図４Ｄと同じ）。図５Ｅは、図５ＡのＡ−Ａ線に沿って取った断面図である。図５Ｆは、図５ＡのＢ−Ｂ線に沿って取った断面図である。
【図６】図６Ａは、本発明の一実施の態様に係る、タブレット端末とそのクレードルの組体を、市販の壁掛け金具である、壁への取り付け用のネジ穴付きの脚部を有するアダプタープレートを介して壁面に取り付けた時の、正面図である。図６Ｂは、図６Ａの右側面図である。図６Ｃは、図６ＡのＡ−Ａ線に沿って取った断面図である。図６Ｄは、図６ＡのＢ−Ｂ線に沿って取った断面図である。
【発明を実施するための形態】
【００２１】
以下、図１A−６Dを参照して、本発明タブレット端末とそのクレードルの組体の一実施の態様を説明する。
【００２２】
タブレット端末１０の背面上方中央部には、ブロック状のクレードル第１部分２０が、例えば、超音波溶接で取り付けられ、タブレット端末１０の背面からの凸部を形成している。図１D、図１E、図２D,図２E,  図３から分るように、このブロック状のクレードル第１部分２０の凸部の底面には、タブレット端末１０の背面上方中央部から下方に向かう斜面２２が形成されており、また、この斜面２２の延長面は、タブレット端末１０の下方（手前）端縁部と交差するように構成されている。従って、テーブル上にタブレット端末１０とクレードル第１部分２０の組を置くと、図３に示すように、タブレット端末１０の表示面に、上方（遠方）から下方（手前）に向かう、傾斜が付くので、表示面が見やすくなり、入力操作が容易になると共に、入力操作をする際、タブレット端末１０の揺動を阻止するようにも働く。
【００２３】
斜面２２を有するクレードル第１部分２０の底面中央部には、タブレット端末１０の背面と平行な底面を有する凹部２４が形成され、その凹部底面には第１の組の充電接点２６が配設されている。この第１の組の充電接点２６は、図示していないが、タブレット端末１０の縁部に形成されている、外部のACアダプターからの５V直流入力端子を受け入れる充電端子に接続されている。また、このブロック状のクレードル第１部分２０の上方端には、外部の充電装置による充電を可能とするための、第３の組の充電接点２８が設けられており、この充電接点２８も同様に、先のタブレット端末１０の縁部に形成されている、外部のACアダプターからの５V直流入力端子を受け入れる充電端子に接続されている。
【００２４】
また、ブロック状のクレードル第１部分２０の、両側面には、タブレット端末１０とクレードル第１部分２０の組を、２つの指で把持して持ち運べるように、滑らかな凹部３０がそれぞれ形成されている。そのため、図３に示すように、タブレット端末１０とクレードル第１部分２０の組が、テーブル上に平置された時、タブレット端末１０の上方（遠方）端から指が十分に入る程度の隙間が確保できる角度に傾斜面２２が形成されることが望ましい。従って、本実施の態様では、先に説明したタブレット端末１０の表示面の傾斜も考慮して、例えば、８o程度の傾斜角が付けられている。
【００２５】
また、クレードル第１部分２０の下端には、以下で説明するクレードル第２部分４０の凹部４４の下端に形成される横長のフック５４を受けるためのフック受け溝３２が形成されている。また、クレードル第１部分２０の上端には、同様に、以下で説明するクレードル第２部分４０の凹部４４の上端壁部中央に装着されるロック機構のばねによって付勢され摺動可能なアンロックレバー５６と一体に形成されているラッチ５８と協働する、ラッチ受け溝３４が形成されている。
【００２６】
図４A-図５Fに示した、クレードル第２部分４０は、斜面２２を有するブロック状クレードル第１部分２０を、受け入れ、それと嵌め合わされるように、三方を壁４２で囲まれた対応する斜面付きの凹部４４を有する箱状に形成されている。この凹部４４の中央部には、クレードル第１部分２０の中央部に形成された凹部２４と嵌り合い、同様に、タブレット端末背面およびこのクレードル第２部分４０の背面と平行な平面を有する凸部４６が形成されている。またこの凸部４６の平面上には、クレードル第１部分２０に形成された凹部２４上の第１の組の充電接点２６と接触する第２の組の充電接点４８が形成されている。
【００２７】
図４A,図５A，図５E,に示したように、クレードル第２部分４０の斜面中央部に形成された凸部４６の平面上の第２の組の充電接点４８のそれぞれは、偶発的に起こることのある、導体片等による、両接点間の短絡を防止するため、上下に可動のプラスチック製の包囲体５０によって包囲され、これらの包囲体５０は、この組の充電接点４８間の平面に形成された縦長の切り欠きから突出するレバー５２と連動するように構成されており、先のクレードル第１部分２０の中央に形成された凹部２４とこのクレードル第２部分４０の中央に形成された凸部４６が嵌り合うと、先のレバー５２が押し下げられ、それに連動して包囲体５０が引き下がり、対向する２組の充電接点２６、４８が接触するように構成されている。
【００２８】
さらに、クレードル第２部分４０の凹部４４の下方端には、先のクレードル第１部分の凸部下方端に設けられた横長のフック受け３２と係合する横長のフック５４が設けられ、さらにまたこのクレードル第２部分４０に形成された斜面を有する凹部先端の壁部４２中央には、ロック機構のばねで付勢され摺動可能なアンロックレバー５６と一体のラッチ５８が設けられており、先のクレードル第１部分２０の凸部先端中央部に形成されたロック機構のラッチ受け溝３４と協働するように構成されている。
【００２９】
クレードル第１部分２０とクレードル第２部分４０を嵌め合わせると、両者は、先のロック機構とフックによって、しっかりと結合する。また、タブレット端末１０とクレードル第１部分２０の組を、外部の保持装置に保持されているクレードル第２部分４０から取り外す際には、アンロックレバー５６をワンタッチするだけで、簡単に取り外せる。
【００３０】
図４F、図５Aに示すように、クレードル第２部分４０の背面には、VESA規格、VESA７５（７５X７５ｍｍ）に適合する、隣接するネジ穴間隔が７５ｍｍの４つのネジ穴６０が設けられている。従って、ユーザーが希望する本実施の態様のタブレット端末とそのクレードルの組体の設置場所に応じて、専用ではない、市販のディスプレイスタンド、ディスプレイアーム、壁掛け金具等の外部の保持装置を選択し、そのクレードル第２部分４０を選択した保持装置に、４つのネジ穴６０を利用して取り付ければ、ユーザーは、希望するあらゆる場所に自由に、かつ容易、簡単に、タブレット端末とそのクレードルの組体を設置できる。従ってまた、必要があれば、例えば、市販のディスプレイアームをベッドサイドに設置して、それに本実施の態様のタブレット端末とそのクレードルの組体のクレードル第２部分４０を取り付け、それに本実施の態様のタブレット端末とクレードル第１部分２０の組を嵌め合わせれば、ユーザーはベッドに横たわったままで、タブレット端末への入力操作が可能となる。
【００３１】
また、図４C、図５Cに示すように、箱状のクレードル第２部分４０の下方端縁部には、例えば、カメラの三脚等によって、このクレードル第２部分４０を下方から支持するために利用することができる、別のネジ穴６２が形成されている。
【００３２】
さらにまた、図４D、図５D、図５Fに示すように、箱状のクレードル第２部分４０の右側面には、外部ACアダプターからの５V直流入力端子のプラグが差し込まれる充電端子６４が設けられる台形状の凹部が形成されており、その充電端子６４の下方には、充電中を表示する、充電表示ランプ６６が設けられている。なおまた、この台形状の凹部下端には、外部ACアダプターからのリード線をガイドする引っ掛け鉤６８が設けられている。
【００３３】
図６A−Dは、本実施の態様のタブレット端末とそのクレードルの組体を壁面に取り付けた例を示している。即ち、クレードル第２部分４０が、まず、クレードル第２部分４０の背面に設けた、VESA規格、VESA７５（７５X７５ｍｍ）に適合する、４つのネジ穴６０を利用して、これらの４つのネジ穴６０に対応する４つの穴を有する、市販の壁掛け金具である、壁への取り付け用のネジ穴付きの脚部を有するアダプタープレート７０に取り付け、次に、このアダプタープレート７０を、脚部のネジ穴を使ってネジで壁面に固定することによって、クレードル第２部分４０が、壁面に取り付けられる、これに、タブレット端末１０とクレードル第１部分２０の組が、嵌め合わされ、結合されている。タブレット端末１０とクレードル第１部分２０の組は、アンロックレバー５６を図の手前側に押すとワンタッチで、クレードル第２部分４０から取り外せる。
【００３４】
以上説明した本実施の態様では、クレードル第１部分２０とクレードル第２部分４０間のロック手段として、クレードル第２部分４０の斜面を有する凹部先端の壁部４２中央に設けた、ロック機構のばねで付勢され摺動可能なアンロックレバー５６と一体のラッチ５８と、クレードル第１部分２０の凸部先端中央部に形成したロック機構のラッチ受け溝３４を、利用したが、これらに代えてマグネットの磁力を利用したロック機構ても良い。
【００３５】
また、以上説明した本実施の態様では、タブレット端末１０とクレードル第１部分２０の組とクレードル第２部分４０の１組についての１対１対応で説明したが、複数組のタブレット端末とそのクレードルの組体が利用されている環境では、クレードル第２部分４０にユニークコードを付したタグ等を取り付けると共にクレードル第１部分２０にはその読み取り機能を取り付けておけば、両者の関係は、固定されることなく、自由にその組み合わせが変更できる。
【００３６】
以上説明した望ましい実施の態様は、本発明の原理を示すことを狙ったもので、本発明の範囲を限定するものではない。この実施の態様に対するその他の実施の態様および変形例は、当業者にとっては明らかであろうし、また以下の請求項で規定する本発明の精神および範囲から逸脱することなく容易に実施できるであろう。
【符号の説明】
【００３７】
１０  タブレット端末
２０  クレードル第１部分
２２  斜面
２４  凹部
２６  第１の組の充電接点
２８  第３の組の充電接点
３０  なめらかな凹部
３２  横長フック受け溝
３４  ラッチ受け溝
４０  クレードル第２部分
４２  壁
４４  凹部
４６  凸部
４８  第２の組の充電接点
５０  包囲体
５２  レバー
５４  横長フック
５６  アンロックレバー
５８  ラッチ
６０  VESA７５（７５X７５ｍｍ）のネジ穴
６２  別のネジ穴
６４  充電端子
６６  充電中表示ランプ
６８  引っ掛け鉤
７０  壁への取り付け用アダプタープレート
【図１】
2015125468.tif 000003
【図２】
2015125468.tif 000004
【図３】
2015125468.tif 000005
【図４】
2015125468.tif 000006
【図５】
2015125468.tif 000007
【図６】
2015125468.tif 000008